(57)【要約】【課題】初めてスウィープ方式の指紋読取装置に接する不慣れな操作者にも安定した指紋画像の採取を可能ならしめることを課題とする。。【解決手段】指紋読取センサー部３を配備し、指紋読取センサー３の表面をその長手方向に垂直に指をスウィープさせて指紋画像を採取するようにした指紋読取装置１において、指紋読取センサー３の表面をスウィープする際に指が接触する装置ケース表面に指紋読取センサーの長手方向に沿って波状の凹凸面５を形成した指紋読取装置。【選択図】図１
2006134205.tif 000002
【特許請求の範囲】
【請求項１】
指紋読取センサー部を配備し、該指紋読取センサーの表面をその長手方向に垂直に指をスウィープさせて指紋画像を採取するようにした指紋読取装置において、指紋読取センサーの表面をスウィープする際に指が接触する装置ケース表面に上記指紋読取センサーの長手方向に垂直に凸部と凹部を交互に連設し、連設された凸部の頂部に指を接触させながら指紋読取センサーの表面をスウィープするようにしたことを特徴とする指紋読取装置。
【請求項２】
指紋読取センサーの長手方向に垂直に交互に連設された凸部と凹部が波状の凹凸面で構成される請求項１記載の指紋読取装置。
【請求項３】
装置ケース表面にテープを貼着することにより指紋読取センサーの長手方向に垂直に交互に連設された凸部と凹部を形成する請求項１記載の指紋読取装置。
【発明の詳細な説明】
【技術分野】
【０００１】
この発明は、指紋読取センサー部を配備し、該指紋読取センサーの表面をその長手方向に垂直に指を滑らせる、所謂スウィープさせて指紋画像を採取するようにした指紋読取装置に関するものである。
【背景技術】
【０００２】
近年、急速に普及するコンピュータ・ネットワーク利用分野で本人確認の必要性が切実化している。従来では、暗証番号やパスワードと言った「本人のみが知っているはず」の情報を入力させて本人であると予想し結論付けていた。又、「所持しているのは本人のみのはず」であるＩＣカードや磁気カードを頼りに本人確認が可能と判断している。しかし、前述の「はず」では不十分として、最近指紋等の生体情報を用いた本人確認に高い期待が寄せられつつある。
【０００３】
そのような背景から導入が進む指紋読取装置は、携帯電話にも内蔵されるなど、一層の小型化への要求から、指紋読取センサーについても小型化の一途をたどり、最近では各種半導体技術や光学系の技術を駆使した、「リニアーセンサー」と呼ばれる指紋読取センサーが開発されるに至っている（特開2003-345759あ参照）。
【０００４】
この指紋読取センサーによる指紋の画像を読取る原理は、図２に示したとおり、指をスウィープし（ａ）、その過程で決められた周期間隔で長方形の指紋センサーに当たる指の短冊状の部位の指紋画像断片を読取り（ｂ）、その短冊状の断片画像の連続性に依拠して指紋画像を再合成する（ｃ）ものである。
【０００５】
なお、指紋読取センサーにおけるスウィープは指紋読取センサーが、指の静電容量の変化として捕らえる、所謂「静電方式センサー」の場合、指とセンサー面は、接触することが必要であるが、一方、皮膚と指紋の谷部（空気層）との温度差を検知する方式の指紋センサーの場合、センサー面と指は、軽く触れる程度で十分である。
【特許文献１】特許公開２００３−３４５７５９
【発明の開示】
【発明が解決しようとする課題】
【０００６】
このスウィープ式指紋読取装置では、指のスウィープに伴う移動の方向が、センサーに対して垂直にする必要があり、また決められた周期間隔に合致した速さでのスウィープする必要がある。
【０００７】
しかし、特に操作者の不慣れにより、 図３に示したように、指のスウィープ方向４が、センサー３に対して垂直にならず、斜めに擦ってしまった場合、図２の（ｂ）に示した長方形の内部の短冊状の断片画像が、互いに横にずれてしまって読取られ（ｂ）、上下の紋様の連続性が崩れ、指紋画像全体の合成は困難に陥る（ｃ）。
【０００８】
また、 指紋センサーを囲うケースの表面と指の表面との間に表面摩擦６が生じると、一定のスピードで指を滑らせることは難しい。ましてや、決められた周期間隔に合致した速さでのスウィープは、慣れが必要となる。
【０００９】
ところが、実際には図４に示したとおり、指紋読取センサー表面を擦るスピードが一定せず、摩擦で遅くなると合成前の指紋画像は縮み、摩擦から開放された直後は、指が早く動くため、伸びた短冊画像が入力され（ｂ）、したがって合成された指紋画像は原画とは、大きく異なるものとなり（ｃ）、勿論この場合、原画と合成された指紋画像の照合は、異なる指紋と判定されてしまう。
【００１０】
また、摩擦が生じなかったとしても、老人や病人には、一定のスピードでのスウィープ動作は困難である。
【００１１】
そこで、本願発明者は、初めてスウィープ方式の指紋読取装置に接する不慣れな操作者にも安定した指紋画像の採取を可能ならしめることを課題とする。
【課題を解決するための手段】
【００１２】
この発明は、上記実情に鑑み、指紋読取センサー部を配備し、該指紋読取センサーの表面をその長手方向に垂直に指をスウィープさせて指紋画像を採取するようにした指紋読取装置において、指紋読取センサーの表面をスウィープする際に指が接触する装置ケース表面に上記指紋読取センサーの長手方向に垂直に凸部と凹部を交互に連設し、連設された凸部の頂部に指を接触させながら指紋読取センサーの表面をスウィープするようにした指紋読取装置を提案するものである。
【発明の効果】
【００１３】
即ち、この発明においては指紋読取センサーの表面をスウィープする際に指が接触する装置ケース表面に上記指紋読取センサーの長手方向に垂直に凸部と凹部を交互に連設し、連設された凸部の頂部に指を接触させながら指紋読取センサーの表面をスウィープするようにするため、操作者はその接触感覚に従って指を指紋読取センサーの長手方向に対して垂直にスウィープさせることができる。
【００１４】
また、周知の通り、摩擦力の大きさは、接触面の面積に比例するが、この発明では連設された凸部の間に凹部が設けられているため、スウィーブの際に指と装置ケース表面との接触が極力少なくすることができ、このため表面摩擦が少なく、したがって一定のスピードでスウィープ操作を行わせることができる。
【００１５】
したがって、この発明では指紋読取センサー部を長方形に配備し、指をそのセンサーの長手方向と垂直にスウィープさせることにより指紋画像を採取するようにした指紋読取装置において、指のスウィープを正確かつ容易ならしめることができ、スウィープ方式の指紋読取装置に接する不慣れな操作者にも安定した指紋画像の採取を可能にする。
【００１６】
なお、この発明において指紋読取センサーの長手方向に垂直に交互に連設された凸部と凹部として、例えば指紋読取センサーの長手方向に垂直に設けられた波状の凹凸面を挙げることができる。
【００１７】
即ち、この紋読取センサーの長手方向に垂直に設けられた波状の凹凸面においてはその方向と逸脱した方向に指が滑る確率も小さくなり、指を指紋読取センサーの長手方向に対して垂直にスウィープさせることができる。
装置のケース表面と指の接触面積が、格段に小さくなり、一定のスピードでスウィープ操作を行わせることができる。
【００１８】
さらに、スウィープ方向に平行に波状の凹凸が付けられることにより、装置のケース表面と指の接触面積が、格段に小さくなり、一定のスピードでスウィープ操作を行わせることができる。
【００１９】
なお、装置ケース表面にテープを貼着することにより上記指紋読取センサーの長手方向に沿ってその頂部に指が接触する凸部とその底部に指が接触しない凹部を交互に設けるようにしてもよい。
【００２０】
一方、この発明において凸部の高さの最適値と、指紋読取センサー面の高さの関係は、読取センサーの原理に依存する。
【００２１】
即ち、指紋の凹凸を指の静電容量の変化として捕らえる、所謂、「静電方式センサー」の場合、指とセンサー面は、接触することが必須であるため、凸部の高さは、センサーの表面より下に設定することが好ましい。
【００２２】
一方、皮膚と指紋の谷部（空気層）との温度差を検知する方式の指紋センサーの場合、センサー面と指は、軽く触れる程度で十分な為、若干（約０．１ｍｍ程度）、凸部の高さがセンサー面より突出させることも可能であり、それにより、凹の溝を一層深くすることにより滑らかなスウィープを実現し易くなることができる。
【発明を実施するための最良の形態】
【００２３】
指紋読取センサー部を配備し、該指紋読取センサーの表面をその長手方向に垂直に指をスウィープさせて指紋画像を採取するようにした指紋読取装置において、指紋読取センサーの表面をスウィープする際に指が接触する装置ケース表面に指紋読取センサーの長手方向に垂直に波状の凹凸面を形成した指紋読取装置。
【実施例１】
【００２４】
以下、この発明を図示の実施例に基づいて詳細に説明すると、１はその端部にＵＳＢプラグ２を装着した指紋読取装置であり、指紋読取装置１の表面には指紋読取センサー３が配備され、更に装置１の表面には指紋読取センサー３のスウィープ方向４に平行に山部5aと谷部5bが交互の連設された波状の凹凸面５を形成する。
【００２５】
以上の構成において指紋読取センサー３の表面をスウィープさせると、この発明ではスウィープ時には指は山部5a,5a…の頂部のみを接触するので、装置のケース表面と指の接触面積が、格段に小さくなる。
【００２６】
周知の通り、摩擦力の大きさは、接触面の面積に比例するので、この発明では指との摩擦の影響も極端に受けにくくなり、等速で指を指紋読取センサー３の表面を滑らせることができる。
【００２７】
更に、この発明ではスウィープ方向４に平行に波状の凹凸が付けられることにより、その方向と逸脱した方向に指が滑る確率も小さくなり、したがって指を指紋読取センサー３に対して斜め方向に滑られることがない。
【００２８】
このため、この発明では指のスウィープを正確かつ容易ならしめることができ、スウィープ方式の指紋読取装置に接する不慣れな操作者にも安定した指紋画像の採取を可能ならしめる。
【産業上の利用可能性】
【００２９】
以上要するに、この発明によれば指紋読取センサー部を長方形に配備し、指を指紋読取センサーにスウィープさせて指紋画像を採取するようにしたスウィープ方式の指紋読取装置において、指のスウィープを正確かつ容易ならしめることができ、また方式に不慣れな操作者にも安定した指紋画像の採取を可能ならしめる。
【図面の簡単な説明】
【００３０】
【図１】この発明の一実施例を示す指紋読取装置の斜視図（ａ）とその要部拡大図（ｂ）
【図２】指をスウィープすることにより指紋を読取る操作の説明図
【図３】指をセンサーに対して斜めにスウィープした場合の指紋読取例を示す図
【図４】スウィープ速度が変化した場合の指紋読取例を示す図
【符号の説明】
【００３１】
１は指紋読取装置
２はＵＳＢプラグ
３は指紋読取センサー
４はスウィープ方向
５は波状の凹凸面
６は表面摩擦
【図１】
2006134205.tif 000003
【図２】
2006134205.tif 000004
【図３】
2006134205.tif 000005
【図４】
2006134205.tif 000006